(57)【特許請求の範囲】
【請求項１】
複数の画像ファイル、及び、前記複数の画像ファイルそれぞれに対応する複数の管理ファイルを記憶する低速記憶手段と、
前記低速記憶手段に記憶された複数の管理ファイル毎に、該管理ファイルに含まれる管理データの一部を用いて、前記管理ファイルよりデータサイズの小さい表示データを生成する生成手段と、
前記生成手段によって生成された複数の表示データを予め記憶する、前記低速記憶手段より高速でアクセス可能な高速記憶手段と、
前記画像ファイルの一覧表示要求が入力された場合に、前記高速記憶手段に予め記憶されている複数の表示データを読み出して、前記一覧表示要求に対する応答処理を行う応答制御手段と、
を備えることを特徴とする画像処理装置。
【請求項２】
前記低速記憶手段は、不揮発性であり、
前記高速記憶手段は、揮発性であり、
前記生成手段は、
前記高速記憶手段に対する給電が停止される際に、前記高速記憶手段に記憶された複数の表示データを含む１つの表示ファイルを生成し、当該生成した１つの表示ファイルを前記低速記憶手段に記憶させ、
前記高速記憶手段に対する給電が開始された際に、前記低速記憶手段に記憶された前記表示ファイルから複数の表示データを取得し、取得した複数の表示データを前記高速記憶手段に記憶させることを特徴とする請求項１に記載の画像処理装置。
【請求項３】
前記生成手段は、前記高速記憶手段に対する給電が開始された際に、前記低速記憶手段に前記表示ファイルが記憶されていない場合、前記低速記憶手段に記憶された複数の管理ファイル毎に、該管理ファイルに含まれる管理データの一部を用いて前記表示データを生成することを特徴とする請求項２に記載の画像処理装置。
【請求項４】
前記低速記憶手段は、不揮発性であり、
前記高速記憶手段は、揮発性であり、
前記生成手段は、前記高速記憶手段に対する給電が開始されるたびに、前記低速記憶手段に記憶された複数の管理ファイル毎に、該管理ファイルに含まれる管理データの一部を用いて前記表示データを生成することを特徴とする請求項１に記載の画像処理装置。
【請求項５】
前記画像ファイルが前記低速記憶手段から削除される際に、当該削除される画像ファイルに対応する管理ファイルを前記低速記憶手段から削除し、当該削除する管理ファイルに対応する表示データを前記高速記憶手段から削除する削除手段を備えることを特徴とする請求項１〜４のいずれか１項に記載の画像処理装置。
【発明の詳細な説明】
【技術分野】
【０００１】
本発明は、画像処理装置に関する。
【背景技術】
【０００２】
従来から、アクセス速度が比較的低速な低速記憶装置と比較的高速な高速記憶装置とを用いて、画像ファイル等の処理を行う処理装置がある。一般的に、高速記憶装置は、低速記憶装置と比較して容量当たりの価格が高いので、低速記憶装置より容量が小さい高速記憶装置が搭載されていることが多い。そのため、処理装置では、記憶する必要があるデータを全て高速記憶装置に記憶できない場合があるので、記憶する必要があるデータを低速記憶装置に記憶しておき、必要に応じて、低速記憶装置に記憶されたデータの一部を高速記憶装置にコピーして処理を行う。
【０００３】
例えば、下記特許文献１には、低速記憶装置に複数の文書ファイルと各文書ファイルの詳細情報を記憶しておき、低速記憶装置に記憶された複数の詳細情報の一部を高速記憶装置にコピーする文書処理装置が記載されている。この文書処理装置では、記憶された文書ファイルの一部について一覧情報が要求された場合に、一覧情報を出力すると共に、一覧情報に含まれる文書ファイルの詳細情報のうち、低速記憶装置に記憶された詳細情報を高速記憶装置にコピーする。
【先行技術文献】
【特許文献】
【０００４】
【特許文献１】特開平７−３１９９０２号公報
【発明の概要】
【発明が解決しようとする課題】
【０００５】
ところで、上記特許文献１の文書処理装置において、例えば、各詳細情報（管理ファイル）の一部のデータを用いて一覧情報を生成する際に、一覧情報の生成時間が長くなる場合がある。それは、複数の詳細情報（管理ファイル）が、高速記憶装置に記憶されずに低速記憶装置にのみ記憶されている場合、低速記憶装置に記憶された複数の管理ファイルにアクセスする必要が生じるためである。従って、上記特許文献１の文書処理装置において、一覧情報の表示要求に対して応答を行うまでの時間が長くなる場合がある。
【０００６】
そこで本発明は、上記問題点を解消するためになされたものであり、画像ファイルについて行われる一覧情報の表示要求に対して、迅速に応答することが可能な画像処理装置を提供することを目的とする。
【課題を解決するための手段】
【０００７】
本発明の画像処理装置によれば、複数の画像ファイル、及び、複数の画像ファイルそれぞれに対応する複数の管理ファイルを記憶する低速記憶手段と、低速記憶手段に記憶された複数の管理ファイル毎に、該管理ファイルに含まれる管理データの一部を用いて、管理ファイルよりデータサイズの小さい表示データを生成する生成手段と、生成手段によって生成された複数の表示データを記憶し、低速記憶手段より高速でアクセス可能な高速記憶手段と、画像ファイルの一覧表示要求が入力された場合に、高速記憶手段から複数の表示データを読み出して、一覧表示要求に対する応答処理を行う応答制御手段とを備えることを特徴とする。
【０００８】
本発明に係る画像処理装置では、複数の画像ファイルと、複数の画像ファイルそれぞれに対応する複数の管理ファイルが低速記憶手段に記憶される。この低速記憶手段に記憶されている複数の管理ファイル毎に、管理ファイルに含まれるデータの一部を用いて、表示データが生成され、高速記憶手段に記憶される。表示データは、管理ファイルよりデータサイズが小さいので、複数の管理ファイルを記憶するだけの容量がない高速記憶手段であっても、複数の表示データを記憶することができる。そして、画像ファイルの一覧表示要求が入力された場合に、高速記憶手段から複数の表示データが読み出されることにより、一覧表示要求に対する応答処理が行われる。すなわち、低速記憶手段にアクセスすることなく、一覧表示の応答処理を行うことができるので、画像ファイルについて行われる一覧情報の表示要求に対して、迅速に応答することが可能となる。
【０００９】
本発明の画像処理装置では、低速記憶手段が、不揮発性であり、高速記憶手段は、揮発性であり、生成手段は、高速記憶手段に対する給電が停止される際に、高速記憶手段に記憶された複数の表示データを含む１つの表示ファイルを生成し、当該生成した１つの表示ファイルを低速記憶手段に記憶させ、高速記憶手段に対する給電が開始された際に、低速記憶手段に記憶された表示ファイルから複数の表示データを取得し、取得した複数の表示データを高速記憶手段に記憶させることが好ましい。
【００１０】
この構成によれば、高速記憶手段に対する給電が停止される際に、高速記憶手段に記憶された複数の表示データを含む１つの表示ファイルが生成され、この表示ファイルが低速記憶手段に記憶される。このため、高速記憶手段に対する給電が停止された後、高速記憶手段に記憶された表示データは失われるが、低速記憶手段に複数の表示データのバックアップを行うことができる。そして、高速記憶手段に対する給電が開始された際に、複数の表示データが、低速記憶手段に記憶された表示ファイルから取得され、高速記憶手段に記憶される。このため、高速記憶手段に対する給電が開始された際に、低速記憶手段に記憶された複数の管理ファイルにアクセスすることなく、１つの表示ファイルにアクセスするだけで、複数の表示データを取得することができる。従って、高速記憶手段に対する給電が開始された際に、迅速に複数の表示データを高速記憶手段に記憶させることができる。
【００１１】
本発明の画像処理装置では、高速記憶手段に対する給電が開始された際に、低速記憶手段に表示ファイルが記憶されていない場合、生成手段が、低速記憶手段に記憶された複数の管理ファイル毎に、該管理ファイルに含まれる管理データの一部を用いて表示データを生成することが好ましい。
【００１２】
この構成によれば、高速記憶手段に対する給電が開始された際に、低速記憶手段に表示ファイルが記憶されていない場合、低速記憶手段に記憶された複数の管理ファイルに含まれる管理データを用いて、複数の表示データが、再び生成される。このため、停電等により、高速記憶手段に対する給電が停止される際に、表示ファイルを低速記憶手段に記憶できなかった場合であっても、給電が開始された際に、複数の表示データを再び生成して、高速記憶手段に記憶させることができる。
【００１３】
本発明の画像処理装置では、低速記憶手段は、不揮発性であり、高速記憶手段は、揮発性であり、生成手段は、高速記憶手段に対する給電が開始されるたびに、低速記憶手段に記憶された複数の管理ファイル毎に、該管理ファイルに含まれる管理データの一部を用いて表示データを生成することが好ましい。
【００１４】
この構成によれば、高速記憶手段に対する給電が開始されるたびに、低速記憶手段に記憶された複数の管理ファイルに含まれる管理データを用いて、複数の表示データが生成される。このため、高速記憶手段に対する給電が停止される際に、表示データのバックアップを行う必要がなくなる。
【００１５】
本発明の画像処理装置では、画像ファイルが低速記憶手段から削除される際に、当該削除される画像ファイルに対応する管理ファイルを低速記憶手段から削除し、当該削除する管理ファイルに対応する表示データを高速記憶手段から削除する削除手段を備えることが好ましい。
【００１６】
この構成によれば、画像ファイルが削除される際には、対応する管理ファイル及び表示データが削除される。このため、高速記憶手段に記憶された複数の表示データと、低速記憶手段に記憶された画像ファイル及び管理ファイルとの対応をとることができる。従って、画像ファイルの一覧表示要求に対して、削除された画像ファイルの表示データを含む一覧情報が出力されることを防止することができる。
【発明の効果】
【００１７】
本発明の画像処理装置によれば、画像ファイルについて行われる一覧情報の表示要求に対して、迅速に応答することが可能となる。
【図面の簡単な説明】
【００１８】
【図１】実施形態に係る画像処理装置が搭載されたＭＦＰを示すブロック図である。
【図２】ＭＦＰが備える制御部の構成を説明するためのブロック図である。
【図３】管理ファイル及び管理データについて説明するための図である。
【図４】表示データについて説明するための図である。
【図５】表示ファイルについて説明するための図である。
【図６】表示データの作成処理を示すフロー図である。
【図７】管理ファイルの更新処理を示すフロー図である。
【図８】画像ファイルの削除処理を示すフロー図である。
【図９】シャットダウン時の処理を示すフロー図である。
【図１０】電源投入時の処理を示すフロー図である。
【図１１】一覧表示要求に対する応答処理を示すフロー図である。
【発明を実施するための形態】
【００１９】
以下、図面を参照して本発明の好適な実施形態について詳細に説明する。図１を参照して、実施形態に係る画像処理装置が搭載されたＭＦＰ（Ｍｕｌｔｉｆｕｎｃｔｉｏｎ  Ｐｅｒｉｐｈｅｒａｌ）１について説明する。図１は、ＭＦＰを示すブロック図である。
【００２０】
ＭＦＰ１は、プリント機能、スキャン機能、コピー機能、ＦＡＸ（ファクシミリ）機能、及び、ＩＦＡＸ（インターネットＦＡＸ）機能を備え、クライアント装置３とネットワーク９１を介して接続されたネットワーク複合機である。ＭＦＰ１は、プリントする文書の画像ファイル、スキャンした文書の画像ファイル、受信されたＦＡＸ及びＩＦＡＸの画像ファイル等、複数の画像ファイルを記憶している。この画像ファイルについて、一覧情報の表示要求がユーザからあった場合、ＭＦＰ１は画像ファイルの一覧情報を生成して出力する。
【００２１】
このＭＦＰ１は、プリント機能、スキャン機能、コピー機能、ＦＡＸ機能、及び、ＩＦＡＸ機能を発揮するために、プリンタ１０、スキャナ１１、ＦＡＸ制御部１２、ＩＦＡＸ制御部１３を備えている。
【００２２】
プリンタ１０は、各種の画像ファイルを印刷する。画像ファイルには、スキャナ１１により生成された文書の画像ファイル、ＦＡＸ機能により受信された画像ファイル、及び、クライアント装置から送信されたＰＤＬ（Ｐａｇｅ  Ｄｅｓｃｒｉｐｔｉｏｎ  Ｌａｎｇｕａｇｅ）データをラスタライズすることにより生成された画像ファイル等が含まれる。スキャナ１１は、ＣＣＤ等によって構成され、文書を光学的に読み取って画像ファイルを生成する。
【００２３】
ＦＡＸ制御部１２は、ＭＦＰ１が備えるＮＣＵ（Ｎｅｔｗｏｒｋ  Ｃｏｎｔｒｏｌ  Ｕｎｉｔ）１６及びモデム１７によって行われるＰＳＴＮ（Ｐｕｂｌｉｃ  Ｓｗｉｔｃｈｅｄ  Ｔｅｌｅｐｈｏｎｅ  Ｎｅｔｗｏｒｋ）９２を介したＦＡＸの送受信を制御する。ＩＦＡＸ制御部１３は、ＭＦＰ１が備えるネットワークＩ／Ｆ１８を介して行われるＩＦＡＸの送受信を制御する。
【００２４】
また、ＭＦＰ１は、操作部１４及び表示部１５を備えている。操作部１４は、操作パネル等で構成され、表示部１５は、ディスプレイ等で構成されている。ユーザは、表示部１５を見ながら、操作部１４を操作することにより、ＭＦＰ１に対して各種の入力及び要求を行うことができる。またユーザは、クライアント装置３にインストールされたＭＦＰ１用のアプリケーション及びドライバの機能によって、クライアント装置３を介してＭＦＰ１に対する操作及び要求を行うことができる。
【００２５】
引き続いて、図２を参照して、ＭＦＰ１が備える制御部２０について説明する。図２は、制御部２０の構成を説明するためのブロック図である。制御部２０は、物理的には、演算を行うＣＰＵ、ＣＰＵに各処理を実行させるためのプログラム等を記憶するＲＯＭ、加えて、ストレージ部２１及びＲＡＭ２２を備えている。この制御部２０は、機能的には、ユーザからの要求に応じて一覧表示に必要な表示データを生成する生成部２３、表示データを出力する応答制御部２４、及び、ストレージ部２１及びＲＡＭ２２に記憶された情報を削除する削除部２５を備えている。これらの構成要素についてより詳細に説明する。
【００２６】
ストレージ部２１は、ＲＡＭ２２よりアクセス速度が低速な不揮発性の記憶手段である。このストレージ部２１は、特許請求の範囲に記載の低速記憶手段に相当する。ストレージ部２１は、例えば、ハードディスクドライブ等によって構成される。ＲＡＭ２２は、ストレージ部２１よりアクセス速度が高速な揮発性の記憶手段である。このＲＡＭ２２は、特許請求の範囲に記載の高速記憶手段に相当する。ＲＡＭ２２は、ストレージ部２１と比較して記憶容量が小さい。
【００２７】
ストレージ部２１は、複数の画像ファイルと、複数の画像ファイルそれぞれについて生成された管理ファイルを記憶している。図３は、管理ファイルについて説明するための図である。図３は、説明のために４つの画像ファイルそれぞれについて生成された４つの管理ファイル３１〜３４を示している。管理ファイル３１〜３４には、複数の管理データが含まれている。管理データは、例えば、画像ファイルのファイル名、画像ファイルの所有者や作成者、画像ファイルの作成日時、更新日時、その他画像ファイルについての詳細情報を示す文字データである。
【００２８】
ＲＡＭ２２は、複数の表示データを記憶している。表示データは、ストレージ部２１に記憶された画像ファイルのファイル名、所有者等を示す情報であり、画像ファイルの一覧情報を構成する構成要素となる情報である。ＲＡＭ２２には、ストレージ部２１に記憶された複数の画像ファイルそれぞれに対応する表示データが記憶されている。図４は、表示データについて説明するための図である。図４は、４つの画像ファイルそれぞれについて生成された４つの表示データ４１〜４４を示している。ＲＡＭ２２には、表示データ４１として「ａｂｃ」が記憶され、同様に、表示データ４２〜４４としてそれぞれ「ＡＢＣ」，「あいう」，「アイウ」が記憶されている。
【００２９】
複数の表示データは、生成部２３によって生成される。生成部２３は、特許請求の範囲に記載の生成手段として機能する。生成部２３は、ストレージ部２１に記憶された複数の管理ファイル毎に、該管理ファイルに含まれる管理データの一部を用いて、管理ファイルよりデータサイズの小さい表示データを生成する。生成部２３は、管理ファイルに含まれる複数の管理データのうち、例えば、ファイル名と所有者を示す管理データをストレージ部２１から取得し、表示データとする。
【００３０】
また、生成部２３は、ＲＡＭ２２に対する給電が停止される際に、ＲＡＭ２２に記憶された複数の表示データを含む１つの表示ファイルを生成する。すなわち、生成部２３は、ＲＡＭ２２に対する給電が停止される前に、表示ファイルを生成する。そして、生成部２３は、生成した１つの表示ファイルをストレージ部２１に記憶させる。図５は、表示ファイルについて説明するための図である。図５は、図４に示す表示データ４１〜４４を含む表示ファイル４０を示している。表示ファイルには、１つ目の表示データ４１（Ｄａｔａ１）が「ａｂｃ」の文字データであり、同様に、２〜４つ目の表示データ４２〜４４（Ｄａｔａ２〜４）が、それぞれ「ＡＢＣ」，「あいう」，「アイウ」の文字データであることを示すデータが含まれている。
【００３１】
また、生成部２３は、ＲＡＭ２２に対する給電が開始された際に、ストレージ部２１に記憶された表示ファイルから複数の表示データを取得し、取得した複数の表示データをＲＡＭ２２に記憶させる。すなわち、生成部２３は、ＲＡＭ２２に対する給電が開始された後、複数の表示データをＲＡＭ２２に記憶させる。なお、ＲＡＭ２２に対する給電が停止されるのは、ＭＦＰ１がシャットダウンする時等である。また、ＲＡＭ２２に対する給電が開始されるのは、ＭＦＰ１に電源が投入される時等である。
【００３２】
但し、停電が起こった場合など、表示ファイルを生成することができずに、ＭＦＰ１がシャットダウンしてしまう場合がある。その後に電源が投入される場合、ストレージ部２１に表示ファイルが記憶されていないので、この場合、生成部２３は、ストレージ部２２に記憶された複数の管理ファイル毎に、管理ファイルに含まれる管理データの一部を用いて表示データを再び生成する。
【００３３】
応答制御部２４は、画像ファイルの一覧表示要求が入力された場合に、ＲＡＭ２２から複数の表示データを読み出して、読み出した複数の表示データを含む画像ファイルの一覧情報を生成する。そして、応答制御部２４は、一覧表示要求に対する応答処理を行う。すなわち応答制御部２４は、特許請求の範囲に記載の応答処理手段として機能する。
【００３４】
応答制御部２４は、ユーザからクライアント装置３を介して画像ファイルの一覧表示要求が入力された場合には、画像ファイルの一覧情報をネットワークＩ／Ｆ１８へ出力する。これにより、画像ファイルの一覧情報が、ネットワークＩ／Ｆ１８を介して、クライアント装置３へ送信される。また、応答制御部２４は、ユーザから操作部１４を介して画像ファイルの一覧表示要求が入力された場合には、画像ファイルの一覧情報を表示部１５へ出力する。これにより、画像ファイルの一覧情報が、表示部１５に表示される。
【００３５】
削除部２５は、ユーザから画像ファイルの削除要求が入力された場合、ストレージ部２１から該当する画像ファイルを削除する。そして、削除部２５は、画像ファイルを削除する際に、画像ファイルに対応する管理ファイルもストレージ部２１から削除し、削除した管理ファイルに対応する表示データをＲＡＭ２２から削除する。すなわち、削除部２２は、特許請求の範囲に記載の削除手段として機能する。
【００３６】
引き続いて、ＭＦＰ１の動作について説明する。まず、図６を参照して、新たな画像ファイルが登録された場合に行われる表示データの作成処理について説明する。図６は、表示データの作成処理を示すフロー図である。この作成処理は、制御部２０によって所定の周期で繰り返し実行される。
【００３７】
まず、ステップＳ１０１では、画像ファイルの登録要求があるか否かが判断される。例えば、ユーザから、操作部１４又はクライアント装置３を介して文書のスキャン要求があり、スキャナ１１によって生成された画像ファイルの格納場所として、ＭＦＰ１が指定された場合に、画像ファイルの登録要求があると判断される。画像ファイルの登録要求があると判断された場合、処理がステップＳ１０２へ移行する。一方、画像ファイルの登録要求がないと判断された場合、画像ファイルの登録要求がなされるまでステップＳ１０１が繰り返し実行される。
【００３８】
ステップＳ１０２では、画像ファイルがストレージ部２１に記憶される。続く、ステップＳ１０３では、画像ファイルの管理ファイルが生成され、ストレージ部２１に記憶される。その後、ステップＳ１０４では、ストレージ部２１に記憶された管理ファイルにアクセスすることにより、画像ファイルの表示データが、生成部２３によって生成される。そして、ステップＳ１０５では、表示データが、ＲＡＭ２２に記憶される。以上の処理により、画像ファイル及びその管理ファイルがストレージ部２１に記憶された場合、画像ファイルの表示データが生成され、ＲＡＭ２２に記憶される。
【００３９】
次に、管理ファイルの更新処理について説明する。図７は、管理ファイルの更新処理を示すフロー図である。この更新処理は、制御部２０によって所定の周期で繰り返し実行される。
【００４０】
まず、ステップＳ１１１では、管理ファイルの更新要求があるか否かが判断される。例えば、操作部１４又はクライアント装置３を介して、ユーザから画像ファイルの上書き保存の要求があった場合、管理ファイルに上書き保存がなされた日時の管理データを追加する更新処理の要求があると判断される。管理ファイルの更新要求があると判断された場合、処理がステップＳ１１２へ移行する。一方、管理ファイルの更新要求がないと判断された場合、管理ファイルの更新要求がなされるまでステップＳ１１１が繰り返し実行される。
【００４１】
ステップＳ１１２では、管理ファイルの内容が更新される。続いて、ステップＳ１１３では、更新された管理ファイルにアクセスすることにより、表示データが生成部２３によって更新される。例えば、生成部２３が管理ファイルにアクセスして、新たに表示データを生成することにより、表示データに用いられた管理データが更新されていた場合に、表示データの内容が変更される。本処理により、管理ファイルの更新が行われた場合、該当する表示データの更新も行われる。
【００４２】
次に、画像ファイルの削除処理について説明する。図８は、画像ファイルの削除処理を示すフロー図である。この削除処理は、制御部２０によって所定の周期で繰り返し実行される。
【００４３】
まず、ステップＳ１２１では、画像ファイルの削除要求があるか否かが判断される。例えば、ユーザから、操作部１４又はクライアント装置３を介して、画像ファイルの削除要求があった場合、処理がステップＳ１２２へ移行する。一方、画像ファイルの削除要求がないと判断された場合、画像ファイルの削除要求がなされるまでステップＳ１２１が繰り返し実行される。
【００４４】
ステップＳ１２２では、要求された画像ファイルが、ストレージ部２１から削除される。そして、ステップＳ１２３では、削除された画像ファイルに対応する管理ファイルが、ストレージ部２１から削除される。ステップＳ１２４では、削除された画像ファイル及び管理ファイルに対応する表示データが、ＲＡＭ２２から削除される。以上により、画像ファイルが削除されると、削除された画像ファイルに対応する管理ファイル及び表示データが削除される。
【００４５】
次に、ＭＦＰ１がシャットダウンされる際に行われる処理について説明する。図９は、シャットダウン時の処理を示すフロー図である。この処理は、ＭＦＰ１がシャットダウンされる際に制御部２０によって行われる。
【００４６】
ステップＳ１３１では、ＲＡＭ２２に記憶された複数の表示データを用いて、この複数の表示データを含む１つの表示ファイルが生成される。例えば、図５に示す表示ファイル４０が生成される。そして、ステップＳ１３２では、生成された表示ファイルが、ストレージ部２１に記憶される。これにより、ＭＦＰ１がシャットダウンされる際には、表示データのバックアップが、不揮発性の記憶手段であるストレージ部２１に記憶される。
【００４７】
次に、電源が投入された際にＭＦＰ１において行われる処理について説明する。図１０は、電源投入時の処理を示すフロー図である。この処理は、ＭＦＰ１に電源が投入された際に、制御部２０によって行われる。
【００４８】
まず、ステップＳ１４１では、表示ファイルがストレージ部２１に記憶されているか否かが判断される。ストレージ部１４１に表示ファイルが記憶されている場合、処理がステップＳ１４２へ移行する。ステップＳ１４２では、ストレージ部２１に記憶された表示ファイルが読み出される。そして、ステップＳ１４３では、読み出された表示ファイルに含まれる複数の表示データが、ＲＡＭ２２へコピーされる。これにより、ストレージ部２１に記憶された表示ファイルから複数の表示データが取得され、ＲＡＭ２２に記憶される。そして、処理が終了する。
【００４９】
一方、ステップＳ１４１では、表示ファイルがストレージ部２１に記憶されていない場合、処理がステップＳ１４４へ移行する。ステップＳ１４４では、ストレージ部２１に記憶された管理ファイルから表示データが生成される。ステップＳ１４５では、ストレージ部２１に記憶された全ての管理ファイルについて表示データが生成されたか否かが判断される。表示データが生成されていない管理ファイルがある場合は、ステップＳ１４４に戻って、未処理の管理ファイルについて、表示データが生成される。ステップＳ１４５では、全ての管理ファイルについて表示データが生成されたと判断された場合、一連の処理が終了する。以上の処理により、シャットダウン時に失われたＲＡＭ２２の表示データが、電源投入時に再びＲＡＭ２２に記憶される。
【００５０】
次に、画像ファイルの一覧表示要求に対して行われる応答処理について説明する。図１１は、出力処理を示すフロー図である。図１１に示すフロー図は、クライアント装置３を介して要求が行われた場合のフローを示している。この処理は、ＭＦＰ１によって所定の周期で繰り返し実行される。
【００５１】
まず、ステップＳ１５１では、画像ファイル及び管理ファイルについて、ウェブ表示を要求するＨＴＴＰ  Ｇｅｔ要求があるか否かが判断される。ステップＳ１５１では、クライアント装置３からＨＴＴＰ  Ｇｅｔ要求がなされるまで、繰り返し実行される。ステップＳ１５１では、画像ファイル及び管理ファイルについて、ウェブ表示を要求するＨＴＴＰ  Ｇｅｔ要求がなされた場合、ステップＳ１５２へ処理が移行する。
【００５２】
ステップＳ１５２では、ＨＴＴＰ  Ｇｅｔ要求の内容が、画像ファイルの一覧表示か否かが判断される。ステップＳ１５２では、ＨＴＴＰ  Ｇｅｔ要求の内容が管理ファイルや画像ファイルの表示要求である場合、ＨＴＴＰ  Ｇｅｔ要求の内容が画像ファイルの一覧表示でないと判断され、ステップＳ１５３へ処理が進む。ステップＳ１５３では、ストレージ部２１から該当するファイルに含まれるデータが取得される。続くステップＳ１５４では、取得されたデータを含むＨＴＴＰ応答が生成される。そして、ステップＳ１５５では、生成されたＨＴＴＰ応答がクライアント装置３へ送信され、処理が終了する。これにより、ユーザが、画像ファイル又は管理ファイルのデータをクライアント装置３のディスプレイで見ることができる。
【００５３】
一方、ステップＳ１５２では、ＨＴＴＰ  Ｇｅｔ要求の内容が、画像ファイルの一覧表示である場合、ステップＳ１５６へ処理が進む。ステップＳ１５６では、ＲＡＭ２２から全ての画像ファイルについての表示データが取得される。その後、処理がステップＳ１５７へ移行する。ステップＳ１５７では、取得された表示データを含む一覧情報が生成され、この一覧情報を含むＨＴＴＰ応答が生成される。続くステップＳ１５８では、生成された一覧情報のＨＴＴＰ応答が、クライアント装置３へ送信され、処理が終了する。これにより、ユーザが、画像ファイルの一覧情報をクライアント装置３のディスプレイで見ることができる。
【００５４】
以上説明した本実施形態に係るＭＦＰ１によれば、画像ファイルの一覧表示要求が入力された場合に、ＲＡＭ２２から複数の表示データが読み出されることにより、一覧表示要求に対する応答処理が行われる。すなわち、ストレージ部２１にアクセスすることなく、一覧表示の応答処理を行うことができるので、画像ファイルについて行われる一覧表示要求に対して、迅速に応答することが可能となる。
【００５５】
また、ＭＦＰ１によれば、ＭＦＰ１がシャットダウンされる際に、ＲＡＭ２２に記憶された全ての表示データを含む表示ファイルが生成され、ストレージ部２１に記憶される。このため、ストレージ部２１に複数の表示データのバックアップを行うことができる。そして、ＭＦＰ１に電源が投入された際に、複数の表示データが、ストレージ部２１に記憶された表示ファイルから取得され、ＲＡＭ２２に記憶される。このため、複数の管理ファイルにアクセスすることなく、１つの表示ファイルにアクセスするだけで、複数の表示データを取得することができる。従って、ＭＦＰ１に電源が投入された際に、迅速に複数の表示データをＲＡＭ２２に記憶させることができる。
【００５６】
また、ＭＦＰ１によれば、ＭＦＰ１に電源が投入された際に、表示ファイルが記憶されていない場合、複数の管理ファイルに含まれる管理データを用いて、複数の表示データが再び生成される。このため、前回のシャットダウン時に、停電等により、正常な処理が行われなかった場合に、複数の表示データを再び生成して、ＲＡＭ２２に記憶させることができる。
【００５７】
更に、ＭＦＰ１によれば、画像ファイルが削除される際には、対応する管理ファイル及び表示データが削除される。このため、ＲＡＭ２２に記憶された複数の表示データと、ストレージ部２１に記憶された画像ファイル及び管理ファイルとの対応をとることができる。従って、画像ファイルの一覧表示要求に対して、削除された画像ファイルの表示データを含む一覧情報が出力されることを防止することができる。
【００５８】
以上、本発明の実施の形態について説明したが、本発明は、上記実施形態に限定されるものではなく種々の変形が可能である。例えば、上記実施形態では、シャットダウン時に、表示ファイルを生成してストレージ部２１に表示データのバックアップを行うこととしたが、このバックアップ処理に替えて、電源投入時に表示データの生成処理を行ってもよい。この場合、ＭＦＰ１に電源が投入されるたびに、生成部２３が、ストレージ部２１に記憶された複数の管理ファイルに含まれる管理データを用いて、複数の表示データを生成する。これにより、再度、複数の表示データを生成することができる。
【００５９】
また、上記実施形態では、ＭＦＰ１がシャットダウンされる際に、表示ファイルを生成してストレージ部２１に表示データのバックアップを行うこととしたが、バックアップを行うタイミングは、これに限られない。例えば、省電力化のために、制御部２０に対する給電が停止される際、又は、ＲＡＭ２２に対する給電が停止される際に、表示ファイルを生成してストレージ部２１に表示データのバックアップを行ってもよい。この場合、ＲＡＭ２２に対する給電が開始された際に、ストレージ部２１に記憶された表示ファイルから複数の表示データを取得してＲＡＭ２２に記憶させることができる。
【符号の説明】
【００６０】
１  ＭＦＰ
１８  ネットワークＩ／Ｆ
２０  制御部
２１  ストレージ部
２２  ＲＡＭ
２３  生成部
２４  応答制御部
２５  削除部
【図１】
0005659687.tif 000002
【図２】
0005659687.tif 000003
【図３】
0005659687.tif 000004
【図４】
0005659687.tif 000005
【図５】
0005659687.tif 000006
【図６】
0005659687.tif 000007
【図７】
0005659687.tif 000008
【図８】
0005659687.tif 000009
【図９】
0005659687.tif 000010
【図１０】
0005659687.tif 000011
【図１１】
0005659687.tif 000012